(57)【特許請求の範囲】
【請求項１】
投票用紙（２）の交付枚数データを記憶する記憶手段（２４）と、投票用紙（２）を交付するごとに上記記憶手段（２４）が記憶している交付枚数データを更新する計数手段（２０）とを備える投票用紙交付機（１０，１０ａ）において、
投票者の年代を選択する年代選択手段（３４，２０；８２〜８７）と、
投票用紙（２）が装置本体（１２）から分離したことを検知する交付検知手段（２８）と、
上記年代選択手段（３４；８２〜８７）により選択された年代と上記男女選択手段（５２，５４；７２，７４）により選択された男女の別を表示する入力表示手段（５６）を備え、
上記記憶手段（２４）は、投票者の年代別に投票用紙（２）の交付枚数データを記憶し、
上記計数手段（２０）は、上記交付検知手段（２８）により投票用紙（２）が装置本体（１２）から分離したことを検知したときに、上記年代選択手段（３４，２０；８２〜８７）により選択された年代に応じて、上記記憶手段（２４）が記憶している交付枚数データを更新し、
上記入力表示手段（５６）は、上記年代選択手段（３４；８２〜８７）により選択された年代および上記男女選択手段（５２，５４；７２，７４）により選択された男女の別を、上記交付検知手段（２８）により投票用紙（２）が装置本体（１２）から分離したことを検知するまでと上記交付検知手段（２８）により投票用紙が装置本体（１２）から分離したことを検知した後とで異なる態様で表示することを特徴とする、投票用紙交付機。
【請求項２】
上記年代選択手段（８２〜８７）は、年代別に配列された複数の年代選択スイッチ（８２〜８７）を有することを特徴とする、請求項１記載の投票用紙交付機。
【請求項３】
上記年代選択手段（３４，２０）は、投票者のコードを入力するコード入力手段（３４）と、該コード入力手段（３４）により入力されたコードに基づいて投票者の年代を特定する年代特定手段（２０）とを有することを特徴とする、請求項１記載の投票用紙交付機。
【請求項４】
投票者の男女の別を選択する男女選択手段（５２，５４；７２，７４）をさらに備え、
上記記憶手段（２４）は、投票者の年代別の投票用紙（２）の交付枚数データを男女別に記憶し、
上記計数手段（２０）は、投票用紙（２）を交付するごとに、上記年代選択手段（３４；８２〜８７）により選択された年代と上記男女選択手段（５２，５４；７２，７４）により選択された男女の別とに応じて、上記記憶手段（２４）が記憶している交付枚数データを更新することを特徴とする、請求項１記載の投票用紙交付機。
【請求項５】
上記記憶手段（２４）が記憶している交付枚数データに基づいて、年代別の男女合計交付枚数および全交付枚数を集計する集計手段（２０）をさらに備えたことを特徴とする、請求項４記載の投票用紙交付機。
【請求項６】
時刻データを出力する時計手段（２１）をさらに備え、
上記集計手段（２０）は、所定時間ごとの年代別の男女合計交付枚数および全交付枚数を集計することを特徴とする、請求項５記載の投票用紙交付機。
【請求項７】
年代別に有権者数を入力する年代別有権者数入力手段（５２，５４，５７）と、
該年代別有権者数入力手段（５２，５４，５７）により入力された年代別有権者数と上記記憶手段（２４）が記憶している交付枚数データとに基づいて、年代別に投票率を演算する年代別投票率演算手段（２０）とをさらに備えたことを特徴とする、請求項１記載の投票用紙交付機。
【請求項８】
上記記憶手段（２４）が記憶している交付枚数データ、上記集計手段（２０）が集計したデータ、上記年代別投票率演算手段（２０）が演算した年代別投票率から選択された少なくとも１つのデータを表示するデータ表示手段（５６）をさらに備えたことを特徴とする、請求項４〜７のいずれかひとつに記載の投票用紙交付機。
【請求項９】
上記データ表示手段（５６）が表示するデータを選択する表示データ選択手段（８１）をさらに備えたことを特徴とする、請求項８記載の投票用紙交付機。
【請求項１０】
上記記憶手段（２４）が記憶している交付枚数データ、上記集計手段（２０）が集計したデータ、上記年代別投票率演算手段（２０）が演算した年代別投票率から選択された少なくとも１つのデータを外部機器（３６，３８）に出力する外部出力手段（３２）をさらに備えたことを特徴とする、請求項４〜７のいずれかひとつに記載の投票用紙交付機。
【請求項１１】
投票用紙（２）の交付枚数データを記憶する記憶手段（２４）と、投票用紙（２）を交付するごとに上記記憶手段（２４）が記憶している交付枚数データを更新する計数手段（２０）とを備える投票用紙交付機（１０，１０ａ）において、
投票者の年代を選択する年代選択手段（３４，２０；８２〜８７）と、
投票者の男女の別を選択する男女選択手段（５２，５４；７２，７４）と、
上記年代選択手段（３４；８２〜８７）により年代が選択された後、上記男女選択手段（５２，５４；７２，７４）により男女の別が選択されると、投票用紙（２）が装置本体（１２）から突出して交付されることを可能にする一方、上記年代選択手段（３４；８２〜８７）により年代が選択されずに上記男女選択手段（５２，５４；７２，７４）により男女の別が選択されると、エラーを通知し、投票用紙（２）が装置本体（１２）から交付されないようにする投票用紙交付制御手段（２０）を備え、
上記記憶手段（２４）は、投票者の年代別及び男女別に投票用紙（２）の交付枚数データを記憶し、
上記計数手段（２０）は、投票用紙（２）を交付するごとに、上記年代選択手段（３４；８２〜８７）により選択された年代と上記男女選択手段（５２，５４；７２，７４）により選択された男女の別とに応じて、上記記憶手段（２４）が記憶している交付枚数データを更新することを特徴とする、投票用紙交付機。
【請求項１２】
装置本体（１２）から分離可能に設けた主操作卓（５０）を備え、該主操作卓（５０）に上記男女選択手段（５２，５４）および上記入力表示手段（５６）を設けたことを特徴とする、請求項１記載の投票用紙交付機。
【請求項１３】
上記主操作卓（５０）に接続される拡張操作卓（７０）を備え、該拡張操作卓（７０）に上記年代選択手段（８２〜８７）と上記男女選択手段（７２，７４）とを設けたことを特徴とする、請求項１２記載の投票用紙交付機。
【請求項１４】
上記拡張操作卓（７０）が上記主操作卓（５０）に接続されたことを検知する接続検知手段（５９）と、
該接続検知手段（５９）により上記拡張操作卓（７０）が上記主操作卓（５０）に接続されたことを検知したときに、上記主操作卓（５０）の上記男女選択手段（５２，５４）の動作を禁止する拡張操作卓優先手段（２０）とを備えたことを特徴とする、請求項１３記載の投票用紙交付機。
【発明の詳細な説明】
【０００１】
【発明の属する技術分野】
本発明は、投票用紙交付機に関する。
【０００２】
【従来の技術】
従来、投票用紙交付機が用いられている。この種の装置は、予め複数の投票用紙を装置内に収納して用いるものであり、投票用紙を交付するときに係員が操作キーを押すと、装置から投票用紙が１枚だけ出るようになっている。この投票用紙を、係員が装置から抜き取って選挙人に交付したり、選挙人自身が抜き取ったりする。この装置を用いれば、投票用紙を１枚ずつ確実に選挙人に交付することができ、また、交付した投票用紙の枚数を正確に計数できるので、投票用紙の管理事務の効率化に役立っている。
【０００３】
ところで、一般に、この装置を用いる国政選挙および地方選挙において、投票終了後、各投票所単位に手作業で年代別、男女別に投票者数を集計していたため、手間と時間がかかり、効率が悪かった。
【０００４】
【発明が解決しようとする課題】
したがって、本発明の解決すべき技術的課題は、投票者数の集計作業を支援することができる投票用紙交付機を提供することである。
【０００５】
【課題を解決するための手段および作用・効果】
上記の技術的課題を解決するため、本発明は、以下の構成の投票用紙交付機を提供する。
【０００６】
投票用紙交付機は、投票用紙の交付枚数データを記憶する記憶手段と、投票用紙を交付するごとに上記記憶手段が記憶している交付枚数データを更新する計数手段とを備えるタイプのものである。投票用紙交付機は、投票者の年代を選択する年代選択手段と、投票用紙が装置本体から分離したことを検知する交付検知手段と、上記年代選択手段により選択された年代と上記男女選択手段により選択された男女の別を表示する入力表示手段を備える。上記記憶手段は、投票者の年代別に投票用紙の交付枚数データを記憶する。上記計数手段は、上記交付検知手段により投票用紙が装置本体から分離したことを検知したときに、上記年代選択手段により選択された年代に応じて、上記記憶手段が記憶している交付枚数データを更新する。
【０００７】
上記構成によれば、投票用紙の交付の際に年代を選択することによって、年代別に投票用紙の交付枚数を計数することができる。
【０００８】
したがって、投票用紙交付機は、投票者数を年代別に集計する集計作業を支援することができる。
【０００９】
好ましくは、上記年代選択手段は、年代別に配列された複数の年代選択スイッチを有する。
【００１０】
上記構成によれば、投票者の年代の選択は年代選択スイッチを選択して押せばよく、操作が簡単になる。
【００１１】
好ましくは、上記年代選択手段は、投票者のコードを入力するコード入力手段と、該コード入力手段により入力されたコードに基づいて投票者の年代を特定する年代特定手段とを有する。
【００１２】
上記構成によれば、投票者の年代を直接又は間接に含むコードを入力することにより、投票者の年代を選択することができる。たとえば、有権者名簿や入場券にバーコードを表示し、これをバーコードリーダで読み取ることによって、年代を選択する。バーコードを読み取る操作は簡単であり、また、入力ミスが少なくなる。また、有権者名簿や入場券に、数字やアルファベットを組み合わせた英数コードを表示し、これをキーボードから入力してパソコンで解読することによって、年代を選択するようにしてもよい。バーコードや英数コードは、有権者の年代、性別、地域などを直接コード化したものであっても、コード自体には年代、性別等の情報は含まれていないが、コードに基づいてデータベースを参照することにより、間接的に年代を特定することができるものであってもよい。
【００１３】
好ましくは、投票者の男女の別を選択する男女選択手段をさらに備える。上記記憶手段は、投票者の年代別の投票用紙の交付枚数データを男女別に記憶する。上記計数手段は、投票用紙を交付するごとに、上記年代選択手段により選択された年代と上記男女選択手段により選択された男女の別とに応じて、上記記憶手段が記憶している交付枚数データを更新する。
【００１４】
上記構成によれば、各年代について、男女別に投票者数を集計することができる。
【００１５】
より好ましくは、上記記憶手段が記憶している交付枚数データに基づいて、年代別の男女合計交付枚数および全交付枚数を集計する集計手段をさらに備える。
【００１６】
上記構成によれば、年代別、男女別に投票者数を集計する手間が省ける。
【００１７】
さらに好ましくは、時刻データを出力する時計手段をさらに備える。上記集計手段は、所定時間ごとの年代別の男女合計交付枚数および全交付枚数を集計する。
【００１８】
上記構成によれば、所定時間ごとにデータを集計することが容易となる。
【００１９】
好ましくは、年代別に有権者数を入力する年代別有権者数入力手段と、該年代別有権者数入力手段により入力された年代別有権者数と上記記憶手段が記憶している交付枚数データとに基づいて、年代別に投票率を演算する年代別投票率演算手段とをさらに備える。
【００２０】
上記構成によれば、年代別に投票率を計算する手間が省ける。
【００２１】
上記各構成において、好ましくは、上記記憶手段が記憶している交付枚数データ、上記集計手段が集計したデータ、上記年代別投票率演算手段が演算した年代別投票率から選択された少なくとも１つのデータを表示するデータ表示手段をさらに備える。
【００２２】
上記構成によれば、データが表示されるので、確認が容易である。
【００２３】
より好ましくは、上記データ表示手段が表示するデータを選択する表示データ選択手段をさらに備える。
【００２４】
上記構成によれば、複数のデータを切り替えて表示することができる。必要なときに必要なデータだけを見るようにすることができ、また、データ表示手段を簡単な構成とすることができる。
【００２５】
また、好ましくは、上記記憶手段が記憶している交付枚数データ、上記集計手段が集計したデータ、上記年代別投票率演算手段が演算した年代別投票率から選択された少なくとも１つのデータを外部機器に出力する外部出力手段をさらに備える。
【００２６】
上記構成によれば、データを外部機器に出力できるので、データの分析、集計、管理などが容易となる。
【００２７】
好ましくは、投票用紙が装置本体から分離したことを検知する交付検知手段を備える。上記計数手段は、上記交付検知手段により投票用紙が装置本体から分離したことを検知したときに、上記記憶手段が記憶している交付枚数データを更新する。
【００２８】
上記構成によれば、投票用紙が装置本体から分離したときに交付枚数の計数を確定するので、投票用紙が装置本体から分離するまでは、投票者についての入力データを修正することが可能である。
【００２９】
好ましくは、上記年代選択手段により選択された年代と上記男女選択手段により選択された男女の別を表示する入力表示手段を備える。該入力表示手段は、上記年代選択手段により選択された年代および上記男女選択手段により選択された男女の別を、上記交付検知手段により投票用紙が装置本体から分離したことを検知するまでと上記交付検知手段により投票用紙が装置本体から分離したことを検知した後とで異なる態様で表示する
【００３０】
上記構成によれば、たとえば、年代および男女の別の入力が確定するまでは点滅表示又は赤色表示とし、確定すれば点灯表示又は緑色表示とし、表示の態様を変えることによって、入力データの未確定（変更可能）、確定（変更不可能）を容易に認識できるようにすることが可能である。
【００３１】
好ましくは、上記年代選択手段により年代が選択された後、上記男女選択手段により男女の別が選択されると、投票用紙が装置本体から分離することを可能にする一方、上記年代選択手段により年代が選択されずに上記男女選択手段により男女の別が選択されると、エラーを通知し、投票用紙が装置本体から分離することを禁止する投票用紙交付制御手段をさらに備える。
【００３２】
上記構成によれば、年代を選択した後に男女の別を選択すれば投票用紙の交付が可能となるが、年代を選択せずに男女の別を選択しても投票用紙を交付することはできない。したがって、年代の選択（入力）を忘れて投票用紙を交付することが防止される。
【００３３】
好ましくは、装置本体から分離可能に設けた主操作卓を備える。該主操作卓に上記男女選択手段および上記入力表示手段を設ける。
【００３４】
上記構成によれば、装置本体から分離した主操作卓を手元で操作することができるので、便利である。
【００３５】
より好ましくは、上記主操作卓に接続される拡張操作卓を備える。該拡張操作卓に上記年代選択手段と上記男女選択手段とを設ける。
【００３６】
上記構成によれば、年代別に集計を行わない場合には、主操作卓のみによって操作が可能であり、年代別に集計を行う場合には拡張操作卓を用いればよい。年代別集計は、簡単な機器（拡張操作卓）を追加するだけで可能となる。
【００３７】
好ましくは、上記拡張操作卓が上記主操作卓に接続されたことを検知する接続検知手段と、該接続検知手段により上記拡張操作卓が上記主操作卓に接続されたことを検知したときに、上記主操作卓の上記男女選択手段の動作を禁止する拡張操作卓優先手段とを備える。
【００３８】
上記構成によれば、拡張操作卓接続時には主操作卓による操作を禁止し、拡張操作卓に操作を集中するので、操作が容易である。
【００３９】
【発明の実施の形態】
以下に、図１〜図５に示した本発明の各実施形態に係る投票用紙交付機１０，１０ａについて詳細に説明する。
【００４０】
まず、第１実施形態の投票用紙交付機１０について説明する。
【００４１】
第１実施形態の投票用紙交付機１０は、図１の斜視図に示すように、装置本体１２とメインコントローラ５０に加え、オプションコントローラ７０を備える。
【００４２】
装置本体１２は、略立方体形状であり、カバー１８を開けて内部に多数の投票用紙を立てた状態で収納するようになっている。装置本体１２は、給紙モーター２６（図４参照）により駆動される不図示の給紙機構を有している。給紙機構は、収納された投票用紙を１枚ずつ分離して装置本体上面前側のスリット１６から突出させる。突出した投票用紙２を抜き出すと、投票用紙の交付枚数がカウントされる。投票用紙２が抜き取られたことを検知するため、スリット１６の近傍には投票用紙２の有無を検出する投票用紙検知センサ２８（図４参照）が設けられている。投票用紙２が突出するとき、その記入面が前を向き、装置本体１２の前方から投票用紙２の種類（つまり、選挙の種類）が分かるようにすることが好ましい。装置本体１２の前面には、選挙の種類を示す表示プレート４を取り付け、装置１０の前方から選挙の種類が分かるようにすることができる。
【００４３】
さらに、装置本体１２には、スピーカー３０（図４参照）が設けられていて、スリット１６から投票用紙２を抜き取ると、選挙の種類を告げるアナウンスが流れ、選挙の種類が分かるようになっている。なお、複数の選挙を行うためにそれぞれ別の種類の投票用紙を交付する複数台の投票用紙交付機１０を並べて用いるような場合には、投票用紙の種類に応じてアナウンスの声の特徴を変える（たとえば、男性のアナウンスと女性のアナウンスとを用いる）と、選挙の種類の区別をより効果的に行うことができる。
【００４４】
メインコントローラ５０は、コード５８で装置本体１２と接続されていて、装置本体１２と制御信号を交信するようになっている。メインコントローラ５０は、男キー５２と女キー５４の２つの操作キー５２，５４と、表示パネル５６とを有している。表示パネル５６は、図３（ａ）に示すように、上欄６１と下欄６２の２行に表示を行うようになっている。上欄６１には、たとえば投票用紙交付枚数や投票率の男女別の表示６３，６７および男女合計の表示６５と、男女の選択の別を示す矢印６４，６６（いずれか一方のみ表示）とが表示され、下欄６２には、操作ステップに応じたメッセージ（たとえば、次の操作の指示や、エラーメッセージなど）が表示されるようになっている。コントローラ５０には、図示していないが、選挙やアナウンスの種類など種々の設定を行うための操作スイッチが設けられている。
【００４５】
オプションコントローラ５０は、メインコントローラ５０の接続部５９（図４参照）にコード７８で接続され、メインコントローラ５０を経由して装置本体１２と接続され、装置本体１２と制御信号を交信するようになっている。接続部５９には、オプションコントローラ５０が接続されたことを検出するスイッチ（図示せず）が設けられている。
【００４６】
オプションコントローラ７０は、メインコントローラ５０と大略同様に構成され、男キー７２と女キー７４の２つの操作キー７２，７４を備える。ただし、メインコントローラ５０において表示パネル５６が配置されていた部分には、スイッチパネル７６が配置される。スイッチパネル７６は、図２に示すように、表示切替スイッチ８１と、年代スイッチ８２〜８７とを有する。表示切替スイッチ８１により、後述するように、年代別と合計の表示切り替え、投票数と投票率の表示切り替えなどを行うことができる。
【００４７】
次に、投票用紙交付機１０の構成について、図４のブロック図を参照しながら、さらに説明する。制御を統括するＣＰＵ２０には、制御プログラムを記憶しているＲＯＭ２２と、投票データ等を一時的に記憶するＲＡＭ２４と、給紙モーター２６と、投票用紙検知センサ２８と、スピーカー３０とが接続されている。また、ＣＰＵ２０には、コード５８を介して、メインコントローラー５０の表示パネル５６、男女キー５２，５４、リセットスイッチ５７、接続部５９が接続されている。メインコントローラ５０の接続部５９には、コード７８を介して、オプションコントローラ７０の表示切替スイッチ８１、年代スイッチ８２〜８７、男女キー７２，７４が接続されている。
【００４８】
装置本体１２にメインコントローラ５０を接続すれば、投票用紙交付機１０を使用して男女別に投票用紙交付枚数を集計できる。
【００４９】
すなわち、投票用紙交付時には、男としてカウントするか、女としてカウントするかによって、男キー５２又は女キー５４を押すと、図１のように、装置本体１２のスリット１６には投票用紙２が１枚だけ突出する。このとき、押したキー５２又は５４に応じて、表示パネル５６の上欄６１に矢印６４又は６６が表示される。
【００５０】
この突出した投票用紙２を取り出した時点で、投票用紙交付枚数がカウントアップされ、表示パネル５６の男女別の表示６３又は６７と男女合計の表示６５とが更新される。なお、男としてカウントするか、女としてカウントするかは、投票用紙２がスリット１６から抜き出されるまでに男キー５２又は女キー５４を再度操作すれば訂正することができるようになっている。
【００５１】
さらにオプションコントローラ７０を用いると、年代別、男女別に投票用紙交付枚数を集計することができる。
【００５２】
オプションコントローラ７０を用いる場合、装置本体１２の電源をＯＦＦにした状態でメインコントローラ５０とオプションコントローラ７０とをコード７８で接続した後、装置本体１２の電源をＯＮにする。オプションコントローラ７０が正常に接続されていれば、メインコントローラ５０の表示パネル５６には、図３（ａ）に示した初期画面が表示される。メインコントローラ５０は、オプションコントローラ７０が接続されると、その男キー５２および女キー５４は受け付けられなくなり、オプションコントローラ７０の男女キー７２，７４および操作スイッチ８１〜８７のみが入力可能となる。
【００５３】
投票用紙を交付するときには、まず、いずれかの年代スイッチ８１〜８７を押して投票者の年代を入力する。これにより、たとえば図３（ｂ）に示すように、メインコントローラ５０の表示パネル５６の下欄６２には、押した年代スイッチ８２〜８７に対応する年代が表示され、上欄６１には、その年代についての男女別および男女合計の投票用紙交付枚数６３，６５，６７が表示される。
【００５４】
次に、男としてカウントするか、女としてカウントするかによって、男キー７２又は女キー７４を押すと、表示パネル５６は、それに対応して矢印６４又は６６および年代が点滅するとともに、装置本体１２のスリット１６からは投票用紙２が１枚だけ突出する。投票用紙２が装置本体１２のスリット１６から抜き取られるまでは、男女キー７２，７４又は年代スイッチ８２〜８７を再び押すことによって、男女の別および年代の入力データの変更は可能である。
【００５５】
装置本体１２から投票用紙２を取り出すと、その時点で投票用紙交付枚数がカウントアップされ、表示パネル５６の矢印および年代が点滅表示から点灯表示に変わり、投票用紙交付枚数の表示６３又は６７，６５が更新され、データが確定する。
【００５６】
仮に年代スイッチ８２〜８７を押さずに男キー７２又は女キー７４を押すと、メインコントローラ５０の表示パネル５６の下欄６２には、エラー処理メッセージ（たとえば、「ネンダイＳＷ  ヲ  オシテクダサイ」）が点滅表示される。いずれかの年代スイッチ８２〜８７を押せばエラー解除となり、次に男キー７２又は女キー７４を押せば、投票用紙２が突出し、交付可能となる。投票用紙交付手順は、年代および男女の入力ミスを防ぐために、このように毎回必ず年代スイッチ８２〜８７を押してから男キー７２又は女キー７４を押すようになっている。
【００５７】
年代別のカウンタの内容は、年代スイッチ８２〜８７を押すことによりいつでも確認できる。表示パネル５６に年代別の投票用紙交付枚数が表示されている状態で表示切替スイッチ８１を押すと、年代別表示から合計表示に切り替わる。投票用紙交付枚数が合計表示されている状態でさらに表示切替スイッチ８１を押すと、投票率の合計表示（男女別、男女合計の表示）に切り替わる。投票率の合計表示状態で年代スイッチ８２〜８７を押せば、対応する年代の男女別および男女合計の投票率が表示される。表示切替スイッチ８１を押すと、投票率の合計表示に戻る。投票率の合計表示状態で表示切替スイッチ８１を押すと、投票用紙交付枚数の表示に戻る。また、男キー７２又は女キー７４を押して投票用紙の交付を開始すると、合計表示状態であって、必ず最後に押した年代別の表示となる。
【００５８】
投票率を計算するために、メインコントローラ５０を用いて、年代別の有権者数を入力することができる。具体的には、メインコントローラ５０のリセットスイッチ５７を所定時間（たとえば、約２秒間）押すと、有権者数を入力するモードに切り替わる。この状態で、オプションコントローラ７０の年代スイッチ８２〜８７と男女キー７２，７４を押して入力項目を設定する。表示パネル５６には、操作に応じて入力項目が表示される。入力項目の数値は、メインコントローラ５０の男女キー５２，５４を用いて入力する。男キー５２を押すごとに入力数値の点滅する桁が移動し、女キー５４を押すごとに点滅する桁の数値が変化する。以上の操作を繰り返すことによって、すべての項目について入力を行う。所定時間（たとえば、約５秒間）何も操作をしなければ、通常の操作モードに戻る。
【００５９】
次に、第２実施形態の投票用紙交付機１０ａについて、図５のブロック図を参照しながら説明する。
【００６０】
投票用紙交付機１０ａは、大略、第１実施形態と同様に構成されるが、オプションコントローラ７０の代わりにバーコードリーダ３４を備えている。バーコードリーダ３４を用いて、有権者名簿又は入場券のバーコードを読み取ることにより、投票者の年代や男女の別の入力を行うことができるようになっている。
【００６１】
詳しくは、バーコードリーダ３４は、ＣＰＵ２０に接続された通信用インターフェース３２を介して、装置本体１２に接続される。通信用インターフェース３２には、さらに、パソコン３６、プリンタ３８を接続することができ、年代別、男女別の投票者数や投票率などのデータを、外部のパソコン３６、プリンタ３８に出力できるようになっている。プリンタ３８に直接出力する代わりに、パソコン３６を介してプリンタに出力するようにしてもよい。また、パソコン３６から年代別の有権者数等のデータをＣＰＵ２０に入力するようにしてもよい。
【００６２】
また、ＣＰＵ２０には、内蔵時計２１が接続されていて、所定時間ごとの投票者数や投票率などのデータを集計できるようになっている。
【００６３】
次に、この装置１０ａを用いる場合の操作について説明する。
【００６４】
まず、予め投票者の年齢などのデータを記録した有権者名簿又は入場券のバーコードを、バーコードリーダ３４を用いて読み取る。読み取ったデータは、ＣＰＵ２０により解読され、年代が特定される。そして、メインコントローラ５０の表示パネル５６にその年代が点滅表示される。次に、メインコントローラ５０の男キー５２又は女キー５４を押すと、投票用紙２が装置本体１２のスリット１６から突出する。投票用紙２が抜き取られると、データが登録され、表示パネル５２は点灯表示となる。同時に、男女キー５２，５４を押しても受け付けられない状態となる。投票用紙２が抜き取られるまでは、訂正バーコードをバーコードリーダ３４で読み取ったり、男女キー５２，５４を押し直すことができ、これによってデータを修正することができる。
【００６５】
バーコードに性別データも記録されているときには、バーコードを読み取ると直ぐに投票用紙２が突出するようにしてもよい。この場合には、男女キー５２，５４は入力を受け付けない状態とし、訂正バーコードの読み取りによってのみデータを修正することができるようにしてもよい。
【００６６】
以上説明したように、投票用紙交付機１０，１０ａは、投票者数を年代別に集計することができる。
【００６７】
なお、本発明は上記実施形態に限らず、種々の態様で実施可能である。
【００６８】
たとえば、表示パネル５６は、データのすべてを列記できるものを用いてもよい。コード５８，７８を用いる代わりに、赤外線や電波によって通信を行ってもよい。また、オプションコントローラとメインコントローラとを併用する代わりに、メインコントローラをオプションコントローラに交換するように構成してもよい。
【００６９】
また、装置本体に接続したパソコンのキーボードから投票者のコードを入力し、これをパソコンで解読して年代を特定した上、装置本体のＣＰＵに入力するようにしてもよい。このとき、コード自体に投票者の年代、性別等の情報が含まるようにコード化しても、あるいは、コードに基づきデータベースを参照することによって年代、性別等を特定するようにしてもよい。
【図面の簡単な説明】
【図１】  本発明の第１実施形態の投票用紙交付機の斜視図である。
【図２】  オプションコントローラの上面図である。
【図３】  メインコントローラの表示パネルの平面図である。
【図４】  投票用紙交付機のブロック図である。
【図５】  本発明の第２実施形態の投票用紙交付機のブロック図である。
【符号の説明】
２  投票用紙
４  表示プレート
１０，１０ａ  投票用紙交付機
１２  装置本体
１６  スリット
１８  カバー
２０  ＣＰＵ（計数手段、集計手段、年代別投票率演算手段、投票用紙交付制御手段、拡張操作卓優先手段、年代選択手段、年代特定手段）
２１  内蔵時計（時計手段）
２２  ＲＯＭ
２４  ＲＡＭ（記憶手段）
２６  給紙モーター
２８  投票用紙検知センサ（交付検知手段）
３０  スピーカー
３２  通信用インターフェース（外部出力手段）
３４  バーコードリーダー（年代選択手段、コード入力手段）
３６  パソコン（外部機器）
３８  プリンタ（外部機器）
５０  メインコントローラ（主操作卓）
５２  男キー（男女選択手段、年代別有権者数入力手段）
５４  女キー（男女選択手段、年代別有権者数入力手段）
５６  表示パネル（データ表示手段、入力表示手段）
５７  リセットスイッチ（年代別有権者数入力手段）
５８  コード
５９  接続部（接続検知手段）
６１  上欄
６２  下欄
６３  男数表示
６４  男選択表示
６５  男女合計表示
６６  女選択表示
６７  女数表示
７０  オプションコントローラ（拡張操作卓）
７２  男キー（男女選択手段）
７４  女キー（男女選択手段）
７６  操作パネル
７８  コード
８１  表示切替スイッチ（表示データ選択手段、年代別有権者数入力手段）
８２〜８７  年代スイッチ（年代選択手段、年代選択スイッチ、年代別有権者数入力手段）
【図１】
0004181263.tif 000002
【図２】
0004181263.tif 000003
【図３】
0004181263.tif 000004
【図４】
0004181263.tif 000005
【図５】
0004181263.tif 000006